(57)【要約】【課題】レンズユニットとバレル保持部との間の螺合部分へ接着剤を容易に注入できるカメラモジュールを提供する。【解決手段】カメラモジュール１は、入射される光を集光して出射する第１及び第２のレンズ４，６と、第１及び第２のレンズ４，６を収納するバレル２ａとを含むレンズユニット２と、レンズユニット２が螺合され接着剤２５により固着されるバレル保持部８と、バレル保持部８を周方向に摺動可能で光軸方向に移動可能な状態にて収納するレンズ収納部３ａと、出射された光を電気信号に変換して出力するセンサ１６を収納するセンサ収納部３ｂとを有する台座３と、バレル保持部８がレンズ収納部３ａに収納された状態を保つばね１０と、バレル保持部８との間でばね１０を挟持するばね押さえ９とを備え、ばね押さえ９は、螺合部分に接着剤２５を注入する切り欠き部９ａが形成されている。【選択図】図３
2009075270.tif 000002
【特許請求の範囲】
【請求項１】
外部から入射される光を集光して出射するレンズと、当該レンズを収納するバレルとを含むレンズユニットと、
前記レンズユニットが螺合され、接着剤により当該レンズユニットが固着されるバレル保持部と、
前記バレル保持部を周方向に摺動可能で、前記レンズの光軸方向に移動可能な状態にて収納するバレル収納部と、当該レンズから出射された光を受けて電気信号に変換して出力する撮像素子を収納する撮像素子収納部とを有する台座マウントと、
前記バレル保持部が前記台座マウントの前記バレル収納部に収納された状態を保つように押し付ける弾性部材と、
前記台座マウントに嵌着され、前記バレル保持部との間で前記弾性部材を挟持する挟持部材と
を備え、
前記挟持部材は、前記レンズユニットと前記バレル保持部との螺合部分に接着剤を注入するための切り欠き部が形成されていることを特徴とするレンズモジュール。
【請求項２】
前記挟持部材は、前記レンズユニットが前記バレル保持部に螺合される雌ねじの開口側に向けて前記切り欠き部が形成されていることを特徴とする請求項１に記載のレンズモジュール。
【請求項３】
前記バレル保持部は、前記レンズユニットが螺合される雌ねじの開口部にテーパが形成されていることを特徴とする請求項１に記載のレンズモジュール。
【請求項４】
前記弾性部材は、前記バレル保持部の上端面の外縁部に接触して配され、
前記挟持部材は、当該挟持部材が前記弾性部材を挟持する位置とは離間した位置に前記切り欠き部が形成されていることを特徴とする請求項１に記載のレンズモジュール。
【請求項５】
外部から入射される光を集光して出射するレンズと、当該レンズを保持するバレルとを含むレンズユニットと、
前記レンズユニットが螺合され、接着剤により当該レンズユニットが固着されるバレル保持部と、
前記レンズにより出射された光を受けて電気信号に変換して出力する撮像素子と、
前記バレル保持部を周方向に摺動可能で、前記レンズの光軸方向に移動可能な状態にて収納するバレル収納部と、前記撮像素子を収納する撮像素子収納部とを有する台座マウントと、
前記バレル保持部が前記台座マウントの前記バレル収納部に収納された状態を保つように押し付ける弾性部材と、
前記台座マウントに嵌着され、前記バレル保持部との間で前記弾性部材を挟持する挟持部材と
を備え、
前記挟持部材は、前記レンズユニットと前記バレル保持部との螺合部分に接着剤を注入するための切り欠き部が形成されていることを特徴とするカメラモジュール。
【請求項６】
外部から入射される光を集光して出射するレンズと、当該レンズを保持するバレルとを含むレンズユニットをバレル保持部に螺合する工程と、
前記レンズユニットが螺合された前記バレル保持部を、当該バレル保持部が周方向に摺動可能で、前記レンズの光軸方向に移動可能な状態にて、台座マウントのバレル収納部に収納する工程と、
前記台座マウントの前記バレル収納部に収納された前記バレル保持部に弾性部材を配する工程と、
前記台座マウントに挟持部材を嵌着し、当該挟持部材と前記バレル保持部との間で前記弾性部材を挟持する工程と、
前記レンズにより出射された光を受けて電気信号に変換して出力する撮像素子を前記台座マウントの撮像素子収納部に収納する工程と、
前記レンズから出射される光が前記撮像素子の受光領域に結像するように、前記バレル保持部内で前記レンズユニットの螺合を調節をする工程と、
前記挟持部材に形成された切り欠き部を介して、前記レンズユニットと前記バレル保持部との螺合部分に接着剤を注入する工程と
を有することを特徴とするカメラモジュールの製造方法。
【発明の詳細な説明】
【技術分野】
【０００１】
本発明は、携帯電話機等に搭載されるモード切替機能付のレンズモジュール等に関する。
【背景技術】
【０００２】
撮影機能付き携帯電話機や監視用カメラ等に用いられる小型カメラモジュールには、簡易な方法で標準撮影モード（無限遠モード）と接写モードとを切り替えるモード切替機能付のカメラモジュールが登場してきている。
撮影モードの切替機能が付いたカメラモジュールにおいて組み立て時の作業性向上に関する公報記載の従来技術として、例えば、レンズを保持しレンズホルダと、レンズホルダを光軸方向に移動可能に保持するホルダと、レンズホルダの外周部分に接着剤により固定される調整部材とを具備し、レンズホルダの外周に被写体側に向かって縮径するテーパを設けるカメラモジュールの技術が存在する（特許文献１参照）。
【０００３】
【特許文献１】特開２００５−１９５６８２号公報
【発明の開示】
【発明が解決しようとする課題】
【０００４】
ところで、レンズユニットをバレル保持部に螺合するカメラモジュールの場合、振動等で螺合状態が変化することがある。かかる場合、レンズから出射された光が撮像領域に適切に結像しない恐れがある。このような事態を避けるため、レンズユニットをバレル保持部に螺合して結像調節した後、接着剤等を用いて固着することが行われている。モード切替機能付きのカメラモジュールでは、バレル保持部は、ばねとばね押さえとによって押さえられて光軸方向に移動可能な状態で収納され保持されている。よって、通常の振動の他にモード切替時の振動によっても螺合状態が変化し、接着剤による固着は特に重要である。
しかし、カメラモジュールに対する近年の小型化の要求に応じて、ばね押さえによって螺合部分が塞がれて、接着剤を注入するためのスペースを確保することが困難になってきている。
【０００５】
本発明は、レンズユニットとバレル保持部との間の螺合部分への接着剤の注入を容易に行うことができる小型のカメラモジュール等を提供することを目的とする。
【課題を解決するための手段】
【０００６】
上記課題を解決するために、本発明にかかるレンズモジュールは、外部から入射される光を集光して出射するレンズと、レンズを収納するバレルとを含むレンズユニットと、レンズユニットが螺合され、接着剤によりレンズユニットが固着されるバレル保持部と、バレル保持部を周方向に摺動可能で、レンズの光軸方向に移動可能な状態にて収納するバレル収納部と、レンズから出射された光を受けて電気信号に変換して出力する撮像素子を収納する撮像素子収納部とを有する台座マウントと、バレル保持部が台座マウントのバレル収納部に収納された状態を保つように押し付ける弾性部材と、台座マウントに嵌着され、バレル保持部との間で弾性部材を挟持する挟持部材とを備え、挟持部材は、レンズユニットとバレル保持部との螺合部分に接着剤を注入するための切り欠き部が形成されていることを特徴とする。
【０００７】
ここで、挟持部材は、レンズユニットがバレル保持部に螺合される雌ねじの開口側に向けて切り欠き部が形成されていることを特徴とすれば、切り欠き部を介して雌ねじの開口側からレンズユニットとバレル保持部との螺合部分に接着剤を注入することができる。
また、バレル保持部は、レンズユニットが螺合される雌ねじの開口部にテーパが形成されていることを特徴とすれば、螺合部分への接着剤の注入が容易になる。
更に、弾性部材は、バレル保持部の上端面の外縁部に接触して配され、挟持部材は、挟持部材が弾性部材を挟持する位置とは離間した位置に切り欠き部が形成されていることを特徴とすれば、注入される接着剤は、弾性部材に接することなく、螺合部分へ確実に注入することができる。
【０００８】
上記課題を解決するために、本発明にかかるカメラモジュールは、外部から入射される光を集光して出射するレンズと、レンズを保持するバレルとを含むレンズユニットと、レンズユニットが螺合され、接着剤によりレンズユニットが固着されるバレル保持部と、レンズにより出射された光を受けて電気信号に変換して出力する撮像素子と、バレル保持部を周方向に摺動可能で、レンズの光軸方向に移動可能な状態にて収納するバレル収納部と、撮像素子を収納する撮像素子収納部とを有する台座マウントと、バレル保持部が台座マウントのバレル収納部に収納された状態を保つように押し付ける弾性部材と、台座マウントに嵌着され、バレル保持部との間で弾性部材を挟持する挟持部材とを備え、挟持部材は、レンズユニットとバレル保持部との螺合部分に接着剤を注入するための切り欠き部が形成されていることを特徴とする。
【０００９】
上記課題を解決するために、本発明にかかるカメラモジュールの製造方法は、外部から入射される光を集光して出射するレンズと、レンズを保持するバレルとを含むレンズユニットをバレル保持部に螺合する工程と、レンズユニットが螺合されたバレル保持部を、バレル保持部が周方向に摺動可能で、レンズの光軸方向に移動可能な状態にて、台座マウントのバレル収納部に収納する工程と、台座マウントのバレル収納部に収納されたバレル保持部に弾性部材を配する工程と、台座マウントに挟持部材を嵌着し、挟持部材とバレル保持部との間で弾性部材を挟持する工程と、レンズにより出射された光を受けて電気信号に変換して出力する撮像素子を台座マウントの撮像素子収納部に収納する工程と、レンズから出射される光が撮像素子の受光領域に結像するように、バレル保持部内でレンズユニットの螺合を調節をする工程と、挟持部材に形成された切り欠き部を介して、レンズユニットとバレル保持部との螺合部分に接着剤を注入する工程とを有することを特徴とする。
【発明の効果】
【００１０】
本発明によれば、レンズユニットとバレル保持部との間の螺合部分への接着剤の注入を容易に行うことができる小型のカメラモジュール等を提供できる。
【発明を実施するための最良の形態】
【００１１】
以下、添付図面を参照して、本発明の実施形態について詳細に説明する。
図１は、本実施形態にかかるカメラモジュール１を示す外観斜視図であり、図２は、本実施形態にかかるカメラモジュール１の分解斜視図である。
【００１２】
図１及び図２に示すように、カメラモジュール１は、外部から入射される光を集光して出射する複数のレンズを収納して保持し（図３参照）、センサ１６（図３参照）の受光領域（撮像エリア）１６ａ（図３参照）上に入射光を結像するレンズユニット２と、レンズユニット２を保持する台座マウントの一例としての台座３とを備えている。台座３には、挟持部材の一例としてのばね押さえ９が嵌め込まれて取り付けられている。ばね押さえ９は、レンズユニット２の結像調節（後述）後に、レンズユニット２とバレル保持部８との螺合部分に接着剤２５（図３参照）を注入するための切り欠き部９ａが形成されている。また、ばね押さえ９と台座３との間から後述するバレル保持部８（図３参照）のレバー８ａが突出している。
台座３は、接着剤（図示省略）を使って回路基板２０に接着されている。回路基板２０において、台座３が接着された位置とは反対側の端にコネクタ２１が接続されている。台座３は、回路基板２０に埋め込まれた図示しない回路パターンによってコネクタ２１に電気的に接続されている。
【００１３】
図２に示すように、カメラモジュール１は、複数のレンズを収納して保持するレンズユニット２と、レンズユニット２が螺合され接着剤によって固着されるバレル保持部８とを有している。また、カメラモジュール１は、バレル保持部８の上端面の外縁部に接触し、バレル保持部８が台座３のレンズ収納部３ａ（後述）に収納された状態を保つように押し付ける弾性部材の一例としてのばね１０と、台座３に嵌着されバレル保持部８との間でばね１０を挟持するばね押さえ９とを有している。ばね押さえ９は、台座３に嵌め込まれて固定される。
レンズユニット２が螺合されるバレル保持部８は、台座３に収納される。また、カメラモジュール１は、外光の特定の周波数成分を除去するフィルタ１５と、受光領域１６ａに入射した光を電気信号に変換する撮像素子の一例としてのセンサ１６（図３参照）と、フィルタ１５とセンサ１６との間に配置された方形のガラスカバー１７とを備えている。
【００１４】
図３は、図１の断面Ｘ−Ｘ’の位置におけるカメラモジュール１の縦断面図である。
図３に示すように、レンズユニット２は、レンズユニット２本体を構成する略円筒状のバレル２ａ内に、入射側に配置される第１のレンズ４と出射側に配置される第２のレンズ６とを保持している。また、レンズユニット２は、第１及び第２のレンズ４，６の間に中間環５を備えている。更に、レンズユニット２は、レンズ押さえ７を有しており、第２のレンズ６を所定位置に保持している。
【００１５】
バレル２ａは、略円筒形状を有している。バレル２ａは、外光が入射する端面側に開口部２ｂが形成されている。バレル２ａの外周面には、雄ねじ２ｃが形成されている。
バレル２ａは、例えば、黒色のポリカーボネート（ＰＣ）樹脂、液晶ポリマー（ＬＣＰ）、ポリブチレンテレフタレート（ＰＢＴ）樹脂、ポリフタルアミド（ＰＦＡ）樹脂、ＰＥＥＫ（ポリエーテルエーテルケトン）樹脂等の遮光性を有する合成樹脂により構成される。
【００１６】
第１及び第２のレンズ４，６は、外光を透過してセンサ１６の受光領域（撮像エリア）１６ａに結像させるための光学素子である。即ち、バレル２ａの開口部２ｂから入射した外光が第１及び第２のレンズ４，６によってセンサ１６の受光領域１６ａに結像させるように、第１及び第２のレンズ４，６が所定の光学系を形成する。尚、本実施形態では、レンズユニット２は、第１及び第２のレンズ４，６という２枚のレンズで構成されるが、レンズは１枚或いは３枚であっても構わない。所定の光学系は、単一のレンズ又は複数枚のレンズ群で構成される。
第１及び第２のレンズ４，６は、例えば、透明なポリカーボネート（ＰＣ）樹脂や環状オレフィン（ＣＯＰ）樹脂等の熱可塑性樹脂、或いは、シリコーン樹脂（シリコーンレジン）やガラスなど透光性を有する材料で構成される。
【００１７】
中間環５は、薄板円環形状を有している。中間環５は、例えば、カーボンブラックを練り込んだ延伸ポリエステル（ＰＥＴ）等の合成樹脂フィルムで構成されている。中間環５は、第１のレンズ４と第２のレンズ６の面間距離を一定に保つと共に、通過光量を制限する絞り機能を有しており、光学系の開口径を決定する光学絞り、或いは、ゴースト、フレア等の不要光を遮光する遮光絞りとして使われる。
レンズ押さえ７は、略円環形状を有している。レンズ押さえ７は、例えば、黒色のポリカーボネート（ＰＣ）樹脂等で構成される。図示しない接着剤にてバレル２ａの内壁面に接着されている。
レンズユニット２は、バレル保持部８にねじ込まれる。バレル保持部８の上部にはばね１０が取り付けられ、ばね押さえ９が台座３の所定位置に嵌め込まれることによって、レンズユニット２が螺合されたバレル保持部８は台座３のレンズ収納部３ａに収納される。
【００１８】
バレル保持部８は、例えば、黒色のポリカーボネート（ＰＣ）樹脂、液晶ポリマー（ＬＣＰ）、ポリブチレンテレフタレート（ＰＢＴ）樹脂、ポリフタルアミド（ＰＦＡ）樹脂、ＰＥＥＫ（ポリエーテルエーテルケトン）樹脂、ポリアセタール（ＰＯＭ）樹脂等の遮光性を有する合成樹脂により構成される。
バレル保持部８は、概ね円筒形状であって、外周面にレバー８ａ（図１，２参照）が突出して形成されている。このレバー８ａを操作することにより、バレル保持部８は台座３のレンズ収納部３ａ内で摺動して回転する。また、バレル保持部８は、内壁面にバレル２ａの雄ねじ２ｃと螺合する雌ねじ８ｂが形成されている。この雌ねじ８ｂの開口部にはテーパ８ｃが形成されている。
バレル保持部８は、レンズユニット２を収納した状態で台座３にセットされる。このとき、バレル保持部８の下端面が台座３のレンズ収納部３ａに形成された環状凹部３ｅの底面に当接する。
【００１９】
ばね押さえ９は、後述するばね１０を押さえるように覆いかぶさった状態でばね１０を挟持して取り付けられる円環部と、その円環部の周囲に形成されたスカート部とを有している。そして、スカート部が台座３に嵌まり込むことで、ばね押さえ９は台座３に固定される。ばね押さえ９は、円環部の孔にバレル２ａが入り込んで配置されている。
ばね押さえ９は、円環部の内周側の壁面に、バレル２ａの雄ねじ２ｃとバレル保持部８の雌ねじ８ｂとの螺合部分に接着剤２５を注入するための切り欠き部９ａが中心対称の位置に例えば２箇所設けられている（図２参照）。切り欠き部９ａは、ばね押さえ９がバレル保持部８と共にばね１０（後述）を挟持する位置とは離間した位置に形成されて、注入される接着剤２５がばね１０に触れるのを防いでいる。
【００２０】
ばね押さえ９は、例えば、黒色のポリカーボネート（ＰＣ）樹脂、液晶ポリマー（ＬＣＰ）、ポリブチレンテレフタレート（ＰＢＴ）樹脂、ポリフタルアミド（ＰＦＡ）樹脂、ＰＥＥＫ（ポリエーテルエーテルケトン）樹脂、ＡＢＳ（アクリロニトリル・ブタジエン・スチレン）樹脂等の遮光性を有する合成樹脂により構成される。ばね押さえ９は、後述する台座３に嵌め込まれ固定されて使用されるので、カメラモジュール１の使用環境下の温度における台座３との膨張差を考慮して材料が選択される。例えば、台座３と同じ材料が好ましい。
ばね１０は、略円環形状で、周方向に山と谷とが交互に且つ等間隔に複数形成された波状の薄板である。例えば、板厚が０．０５ｍｍ程度のリン青銅やＳＵＳ鋼板等の一般的なばね材で構成される。ばね１０は、バレル保持部８の上端面の外縁部に接触し、バレル保持部８が台座３のレンズ収納部３ａに収納された状態を保つように押し付ける。ばね１０は、ばね押さえ９と共に、バレル保持部８を上方から下方に向かって押し付ける機能を有している。これにより、バレル保持部８の下端面が台座３の環状凹部３ｅの底面に当接する。
【００２１】
台座３は、レンズユニット２が取り付けられるバレル収納部の一例としてのレンズ収納部３ａと、フィルタ１５やセンサ１６、ガラスカバー１７を収容保持する撮像素子収納部の一例としてのセンサ収納部３ｂとが一体に構成されている。また、台座３は、レンズ収納部３ａの内部空間とセンサ収納部３ｂの内部空間とが連続するように構成されている。また、台座３は、内面から延びて内部空間を狭めるように形成されたフランジ部３ｃを有する。
更に、台座３のレンズ収納部３ａには、内壁面に凸部３ｄが形成されている。更にまた、フランジ部３ｃのレンズ収納部３ａ側の底面でバレル保持部８の下端面が当接する位置には、全周にわたって環状凹部３ｅが形成されている。
【００２２】
台座３は、レンズ収納部３ａの内壁面には複数の凸部３ｄが形成されている。そして、この凸部３ｄがバレル保持部８の外壁面に接触している。
また、台座３は、レンズ収納部３ａの底面（図３におけるレンズ収納部３ａの下面）に、内壁面に沿って全周にわたって、環状凹部３ｅが形成されている。
台座３は、例えば、黒色のポリカーボネート（ＰＣ）樹脂、液晶ポリマー（ＬＣＰ）、ポリブチレンテレフタレート（ＰＢＴ）樹脂、ポリフタルアミド（ＰＦＡ）樹脂、ＰＥＥＫ（ポリエーテルエーテルケトン）樹脂等の遮光性を有する合成樹脂により構成される。
【００２３】
フィルタ１５は、外光の特定の波長成分を除去する薄板の部材である。本実施形態では、多層膜による光の干渉によって赤外光をカットする赤外線除去フィルタ（ＩＲＣＦ：Infrared Cut Filter）を用いている。フィルタ１５は、台座３のフランジ部３ｃに取り付けられる。フィルタ１５がフランジ部３ｃに取り付けられたとき、台座３の内部空間はレンズ収納部３ａとセンサ収納部３ｂの２つに仕切られる。このフィルタ１５は、センサ１６の近傍に配置されており、センサ１６側を密閉して異物がセンサ１６側に浸入することを防止している。
センサ１６は、ＣＣＤ（Charge Coupled Device）やＣＭＯＳ（Complementary Metal Oxide Semiconductor）等のイメージセンサ（撮像素子）である。本実施形態では、ＣＳＰ（Chip Scale Package）構造を有するセンサを用いている。センサ１６は、レンズユニット２を介して受光領域１６ａに結像した光に応じて電気信号を生成し、出力する。
【００２４】
ガラスカバー１７は、フィルタ１５とセンサ１６との間に配置されている。ガラスカバー１７には、センサ１６の受光領域１６ａ側の面をガラスカバー１７に向けた状態でセンサ１６が固着されている。これにより、センサ１６の受光領域１６ａに埃等が直接落ちることを防いでいる。
ガラスカバー１７は、方形を有している。ガラスカバー１７は、例えば、ガラス又は石英ガラス等の可視光に対して透光性を有する透明体により構成される。このガラスカバー１７の撮像素子側の面（図３における下側）には、配線パターン１７ａが形成されている。
【００２５】
ガラスカバー１７の出射面（図３における下面）側には、配線パターン１７ａが予め設けられている。そして、この配線パターン１７ａの電極とセンサ１６とをつなぐように複数の半田バンプ１８が位置している。電極の位置に取り付けられた半田バンプ１８によって、センサ１６はガラスカバー１７に固定されると共に、ガラスカバー１７の電極と電気的に接続されている。
ここで、センサ１６とガラスカバー１７との離間距離は、半田バンプ１８の大きさによって決定される。半田バンプ１８の大きさを制御することは容易であるから、センサ１６とガラスカバー１７との位置決めを正確に行うことが可能である。また、複数の半田バンプ１８により位置決めすることから、センサ１６とガラスカバー１７との離間距離が平均化される。
【００２６】
ガラスカバー１７の出射面側の電極の別の位置には、半田バンプ１９が配置されている。この半田バンプ１９により、ガラスカバー１７と回路基板２０との間の電気的な接続が確保される。この半田バンプ１９は、ガラスカバー１７に固定されているセンサ１６と回路基板２０とが互いに離間するためのスペーサとしても用いられている。
回路基板２０は、例えば、ガラス繊維とエポキシ樹脂を主材とする絶縁性材料で構成され、表面に銅等の導体箔層を形成し、更に導体箔層の上に絶縁体層を被せて保護している。本実施形態に使用する回路基板２０は、厚さが約０．３ｍｍ以上である。尚、ポリイミド樹脂を主体とするフレキシブルプリント基板で構成されても良い。
【００２７】
（カメラモジュール１の製造方法）
以上の構成を有するカメラモジュール１の製造方法を以下に説明する。
まず最初に、第１のレンズ４と中間環５と第２のレンズ６とをバレル２ａ内に収納して、レンズ押さえ７を取り付けて図示しない接着剤により接着してレンズユニット２を組み立てる。そして、組み立てたレンズユニット２をバレル保持部８に螺合（仮固定）する。
【００２８】
続いて、レンズユニット２が螺合されたバレル保持部８を、台座３のレンズ収納部３ａに収納する。このとき、バレル保持部８は、周方向に摺動可能で、光軸方向に移動可能な状態にて収納される。
台座３のレンズ収納部３ａに収納されたバレル保持部８の上端面の外縁部にばね１０を配し、台座３にばね押さえ９を嵌着し、ばね押さえ９とバレル保持部８の上端面との間でばねを挟持する。
フィルタ１５を台座３のセンサ収納部３ｂに収納し、センサ１６が取り付けられたガラスカバー１７が実装された回路基板２０にガラスカバー１７を覆うように台座３のセンサ収納部３ｂを被せる。
【００２９】
レンズユニット２から出射される光がセンサ１６の受光領域１６ａにて結像するように、バレル保持部８内でレンズユニット２の螺合を調節する。このとき、レバー８ａを操作して、レンズユニット２がセンサ１６に近い位置（第１の位置）の無限遠モード（標準撮影モード）と、バレル保持部８がセンサ１６から離れた位置（第２の位置）の接写モードのいずれの撮影モードにおいても焦点が合うように結像調節をする。
ばね押さえ９に形成された切り欠き部９ａからノズル３０を挿入して、ノズル３０の先端を螺合部分に接触させる。図示しないディスペンサから定量の接着剤２５を吐出して、レンズユニット２とバレル保持部８との螺合部分に接着剤２５を注入する。
以上の手順により、カメラモジュール１は組み立てられる。
【００３０】
このように、本実施形態にかかるカメラモジュール１によれば、ばね押さえ９には、バレル２ａの雄ねじ２ｃとバレル保持部８の雌ねじ８ｂとの螺合部分には接着剤２５を注入するための切り欠き部９ａが形成されているので、螺合部分への接着剤２５の注入は容易に行うことができる。
また、切り欠き部９ａは、バレル保持部８の雌ねじ８ｂの開口側に形成されているので、雌ねじ８ｂの開口側から注入された接着剤２５を螺合部分全体に浸透させることができる。
更に、バレル保持部８の雌ねじ８ｂの開口側にはテーパ８ｃが形成されているので、注入される接着剤２５は溢れることなく容易に螺合部分へ入り込むことができる。
更にまた、切り欠き部９ａとは離間した位置にばね１０は配置されるので、切り欠き部９ａから注入された接着剤２５は、ばね１０に触れることはない。
【図面の簡単な説明】
【００３１】
【図１】本実施形態にかかるカメラモジュールの外観斜視図である。
【図２】図１に示すカメラモジュールの分解斜視図である。
【図３】図１に示す断面Ｘ−Ｘ’位置でのカメラモジュールの縦断面図である。
【符号の説明】
【００３２】
１…カメラモジュール、２…レンズユニット、２ａ…バレル、３…台座（台座マウント）、３ａ…レンズ収納部（バレル収納部）、３ｂ…センサ収納部（撮像素子収納部）、４…第１のレンズ、５…中間環、６…第２のレンズ、７…レンズ押さえ、８…バレル保持部、８ａ…レバー、９…ばね押さえ（挟持部材）、１０…ばね（弾性部材）、１６…センサ（撮像素子）、２５…接着剤、３０…ノズル
【図１】
2009075270.tif 000003
【図２】
2009075270.tif 000004
【図３】
2009075270.tif 000005